(57)【特許請求の範囲】
【請求項１】
(ａ)縦の取付壁に対して横向きをなす状態に取り付けられるシリンダと、(ｂ)該シリンダの内側に形成され、水石けんを一時的に貯留する液室と、(ｃ)タンク内の水石けんを該液室に供給する液供給通路上に設けられ、該タンクから該液室に向う水石けんの流れを許容する一方、逆方向の流れを阻止する一方向性の第１逆止弁と、(ｄ)前記シリンダに移動可能に内嵌したピストン及び該ピストンから前記液室とは反対方向の前方に延びるロッド部と、(ｅ)水石けんを吐出する吐出部と、(ｆ)前記液室内の水石けんを該吐出部に流出させる液流出通路上に設けられ、該吐出部に向う水石けんの流れを許容する一方、逆方向の流れを阻止する一方向性の第２逆止弁と、(ｇ)前記シリンダの外側で前記ロッド部の端部に設けられた押込操作部としてのヘッド部と、を有し、該ヘッド部の押込操作による前記ピストンの前記液室側への移動によりポンプ作用で水石けんを該液室から押し出して前記吐出部から吐出する横設置式の水石けん吐出器において、
前記ピストンの前記ヘッド部とは反対側の後端側の少なくとも上部と該ヘッド部側の前端側の少なくとも下部とに、前記シリンダ及び該ピストンとは別体をなし、該ピストンから径方向外方に突出して該シリンダの内面に接触し該ピストンの摺動の案内をなす、該シリンダよりも軟らかい材質の樹脂から成る摺動ガイドを該ピストンに固定状態に設けたことを特徴とする水石けん吐出器。
【請求項２】
請求項１において、前記摺動ガイドは前記ピストンより大径をなす環状の外周部を有していて、該外周部が前記シリンダの内面に嵌合するものとなしてあることを特徴とする水石けん吐出器。
【請求項３】
請求項１，２の何れかにおいて、前記ピストンを筒状となして前記液流出通路を該ピストンの内部を通って設けてあるとともに、前記第２逆止弁をボール弁となしてあり、
前記ピストンには、ボールを弁座面に軸方向に当接させて閉弁時のシールを行う該第２逆止弁の、前記ピストンとは別体の筒状の弁座部材を内嵌してあるとともに、
前記後端側の摺動ガイドが、前記ピストンの後端の開口から挿入されて該ピストンに内嵌する挿入部と、該ピストンの軸方向外側位置で該挿入部から径方向外方に突出し、前記シリンダの内面に接触し該ピストンの摺動の案内をなすガイド部とを有する筒形状に構成してあり、
前記弁座部材と前記摺動ガイドとの内側の中空部にて前記液流出通路の一部が形成してあるとともに、それら弁座部材と摺動ガイドとが軸方向に互いに分割してあることを特徴とする水石けん吐出器。
【請求項４】
請求項３において、前記後端側の摺動ガイドを、前記弁座部材の前記ピストンからの抜け防止の蓋となしてあることを特徴とする水石けん吐出器。
【請求項５】
請求項１〜４の何れかにおいて、前記摺動ガイドの外面には径方向外方に突出して軸方向に延びる突条が周方向に間隔を隔てて複数設けてあることを特徴とする水石けん吐出器。
【請求項６】
請求項１〜５の何れかにおいて、前記摺動ガイドの軸方向端の外周縁部の形状が断面円弧形状となしてあることを特徴とする水石けん吐出器。
【発明の詳細な説明】
【技術分野】
【０００１】
この発明はタンク内の水石けんをポンプ作用で汲み出して吐出部から吐出する水石けん吐出器に関し、特に横向きで設置される横設置式の水石けん吐出器に関する。
【背景技術】
【０００２】
タンク内の水石けんをポンプ作用で汲み出して吐出部から吐出する水石けん吐出器が、従来から広く用いられている。
この種の水石けん吐出器として、シリンダと、シリンダの内側に形成され、水石けんを一時的に貯留する液室と、タンク内の水石けんを液室に供給する液供給通路上に設けられ、タンクから液室に向う水石けんの流れを許容する一方、逆方向の流れを阻止する一方向性の第１逆止弁と、シリンダの内面に移動可能に内嵌したピストン及びピストンから液室とは反対方向に延びるロッド部と、水石けんを吐出する吐出部と、液室内の水石けんを吐出部に流出させる液流出通路上に設けられ、吐出部に向う水石けんの流れを許容する一方、逆方向の流れを阻止する一方向性の第２逆止弁と、シリンダの外側でロッド部の端部に設けられた押込操作部とを含んだ構造のものが従来公知である。
【０００３】
この種水石けん吐出器は、一般に、手洗器に対して手洗用水栓と並んで設けられることが多く、従来にあっては、かかる水石けん吐出器を手洗器のカウンタ部に対して縦向きで設置することが多い。
例えば下記特許文献１，特許文献２，特許文献３にこの種縦設置式の水石けん吐出器が開示されている。
一方、縦の取付壁に対して横向きをなす状態に取り付けられる水石けん吐出器も知られている。
例えば下記特許文献４に、この種の横設置式の水石けん吐出器が開示されている。
【０００４】
ところでこの横設置式の水石けん吐出器にあっては、縦設置式の水石けん吐出器と異なって次のような特有の問題が生じる。
横設置式の水石けん吐出器の場合、図８の模式図に示すようにピストン２００及びロッド部２０４が横向きをなす状態で、同じく横向きをなすシリンダ２０６の内部に移動可能に挿入されるため、シリンダ２０６の外部でロッド部２０４の端部に設けられる押込操作部としてのヘッド部２０８の重み等でロッド部２０４及びピストン２００が傾きを生じ易い。
この傾き状態では、ピストン２００のヘッド部２０８とは反対側の後端部の上部と、ヘッド部２０８側の前端部の下部とがシリンダ２０６の内面に部分的に強く当接し、その状態でピストン２００がシリンダ２０６内面を摺動運動することとなる。
【０００５】
特に横設置式の水石けん吐出器では、強度確保のためにシリンダとピストンとを金属製とすることが望ましいが、この場合ピストンの摺動に伴ってシリンダの内面が、ピストンの後端部の上部と前端部の下部とによって強く擦られ、これによりシリンダの内面が傷付き、削られてしまう恐れがある。
【０００６】
シリンダの内面はシール面として働いており、従ってシリンダの内面がそのようにして傷付き削られてしまうとシール性が悪化して水石けんが吸い上がらなかったり、又は水石けん液の漏れに繋がるといった問題を生じ、またピストンの後端部の上部と前端部の下部とがシリンダの内面に部分的に強く当り擦れを生じるために操作性も悪化してしまう。
【０００７】
加えてシリンダの内面が削られることによって生じた金属粉が、ピストンとシリンダの内面との間に噛み込むことによってシリンダの内面が更に傷付いたり、或いはピストンとシリンダの内面との間を水密にシールするシール部材が損傷し、シール性悪化を助長してしまうといった問題も生ずる。
【先行技術文献】
【特許文献】
【０００８】
【特許文献１】特開２００９−１６５７６１号公報
【特許文献２】特開２００９−１６５７６２号公報
【特許文献３】特開２０１０−８８８２０号公報
【特許文献４】特開２００８−２３００６号公報
【発明の概要】
【発明が解決しようとする課題】
【０００９】
本発明は以上のような事情を背景とし、ピストンの摺動運動によってシリンダの内面が削られ、シール性の悪化や操作性の悪化をもたらす問題を解決することのできる横設置式の水石けん吐出器を提供することを目的としてなされたものである。
【課題を解決するための手段】
【００１０】
而して請求項１のものは、(ａ)縦の取付壁に対して横向きをなす状態に取り付けられるシリンダと、(ｂ)該シリンダの内側に形成され、水石けんを一時的に貯留する液室と、(ｃ)タンク内の水石けんを該液室に供給する液供給通路上に設けられ、該タンクから該液室に向う水石けんの流れを許容する一方、逆方向の流れを阻止する一方向性の第１逆止弁と、(ｄ)前記シリンダに移動可能に内嵌したピストン及び該ピストンから前記液室とは反対方向の前方に延びるロッド部と、(ｅ)水石けんを吐出する吐出部と、(ｆ)前記液室内の水石けんを該吐出部に流出させる液流出通路上に設けられ、該吐出部に向う水石けんの流れを許容する一方、逆方向の流れを阻止する一方向性の第２逆止弁と、(ｇ)前記シリンダの外側で前記ロッド部の端部に設けられた押込操作部としてのヘッド部と、を有し、該ヘッド部の押込操作による前記ピストンの前記液室側への移動によりポンプ作用で水石けんを該液室から押し出して前記吐出部から吐出する横設置式の水石けん吐出器において、前記ピストンの前記ヘッド部とは反対側の後端側の少なくとも上部と該ヘッド部側の前端側の少なくとも下部とに、前記シリンダ及び該ピストンとは別体をなし、該ピストンから径方向外方に突出して該シリンダの内面に接触し該ピストンの摺動の案内をなす、該シリンダよりも軟らかい材質の樹脂から成る摺動ガイドを該ピストンに固定状態に設けたことを特徴とする。
【００１１】
請求項２のものは、請求項１において、前記摺動ガイドは前記ピストンより大径をなす環状の外周部を有していて、該外周部が前記シリンダの内面に嵌合するものとなしてあることを特徴とする。
【００１２】
請求項３のものは、請求項１，２の何れかにおいて、前記ピストンを筒状となして前記液流出通路を該ピストンの内部を通って設けてあるとともに、前記第２逆止弁をボール弁となしてあり、前記ピストンには、ボールを弁座面に軸方向に当接させて閉弁時のシールを行う該第２逆止弁の、前記ピストンとは別体の筒状の弁座部材を内嵌してあるとともに、前記後端側の摺動ガイドが、前記ピストンの後端の開口から挿入されて該ピストンに内嵌する挿入部と、該ピストンの軸方向外側位置で該挿入部から径方向外方に突出し、前記シリンダの内面に接触し該ピストンの摺動の案内をなすガイド部とを有する筒形状に構成してあり、前記弁座部材と前記摺動ガイドとの内側の中空部にて前記液流出通路の一部が形成してあるとともに、それら弁座部材と摺動ガイドとが軸方向に互いに分割してあることを特徴とする。
【００１３】
請求項４のものは、請求項３において、前記後端側の摺動ガイドを、前記弁座部材の前記ピストンからの抜け防止の蓋となしてあることを特徴とする。
【００１４】
請求項５のものは、請求項１〜４の何れかにおいて、前記摺動ガイドの外面には径方向外方に突出して軸方向に延びる突条が周方向に間隔を隔てて複数設けてあることを特徴とする。
【００１５】
請求項６のものは、請求項１〜５の何れかにおいて、前記摺動ガイドの軸方向端の外周縁部の形状が断面円弧形状となしてあることを特徴とする。
【発明の作用・効果】
【００１６】
以上のように本発明は、横設置式の水石けん吐出器において、ピストンの後端側の少なくとも上部と前端側の少なくとも下部とに、シリンダ及びピストンとは別体をなし、ピストンから径方向外方に突出してシリンダの内面に接触しピストンの摺動の案内をなす、シリンダよりも軟らかい材質の樹脂から成る摺動ガイドをピストンに固定状態に設けたもので、本発明によれば、ピストンが傾いた状態でシリンダ内部を相対運動した場合であっても、またシリンダ及びピストンを金属製となした場合であっても、摺動ガイドがシリンダの内面に直接接触して摺動するだけで、ピストンの後端部の上部と前端部の下部とがシリンダの内面に直接接触状態で摺動することはなく、従って摺動ガイドが摺動によって摩耗することはあっても、シリンダの内面がピストンによる摺動によって傷付けられたり、削られたりするのを防止することができる。
これによりシリンダの内面が損傷して、そのことが水石けんの漏れに繋がる問題を解消することができる。
【００１７】
またシリンダが金属製の場合、シリンダの内面が削られて生じた金属粉が、ピストンとシリンダの内面との間に噛み込んだり、或いはピストンとシリンダ内面との間を水密にシールするシール部材を損傷したりする問題も併せて解決することができる。
更にピストンがシリンダの内面に対して円滑に相対運動できるようになるため、操作性も良好となすことができる。
【００１８】
本発明では、上記の摺動ガイドをピストンよりも大径をなす環状の外周部を有するものとなして、その外周部をシリンダの内面に嵌合するようになしておくことができる（請求項２）。
このようにすれば、ピストンの後端部と前端部とを全周に亘ってシリンダの内面に対し非接触状態とすることが可能となり、ピストン摺動によってシリンダの内面が損傷するのをより確実に防止することが可能となる。
【００１９】
次に請求項３は、ピストンを筒状となして、上記の液流出通路をピストンの内部を通って設けるとともに、上記の第２逆止弁をボール弁となしてその第２逆止弁の、ボールを弁座面に軸方向に当接させて閉弁時のシールを行う弁座部材をピストンと別体となして、これをピストンに内嵌するとともに、上記の後端側の摺動ガイドを、ピストンに挿入されてこれに内嵌する挿入部と、ピストンの軸方向外側位置で挿入部から径方向外方に突出し、シリンダの内面に接触しピストンの摺動の案内をなすガイド部とを有する筒形状に構成し、そしてそれら弁座部材と摺動ガイドとの内側の中空部にて液流出通路の一部を形成するとともに、それら弁座部材と摺動ガイドとを軸方向に互いに分割してそれぞれを別体に構成したものである。
【００２０】
弁座部材及び摺動ガイドを上記のような形態で構成する場合、これを一体に構成するといったことが考えられる。
しかしながらこれらを一体に構成すると、ヘッド部の重みでピストンに傾きが生じたとき、摺動ガイドのガイド部が妨げになり弁座部材がピストンと平行に傾けなくなるため、シール位置がずれてしまう。
そうなるとボールが弁座面に当ったときに片当り等を生じてシール不良を起してしまう恐れが生ずる。
【００２１】
しかるにこの請求項３に従って弁座部材と摺動ガイドとを別体に分割して構成しておくと、ピストンに傾きが生じたとき弁座部材がピストンとの平行を維持したまま、ピストンとともに傾くことが可能となり、閉弁時においてボールを弁座面に良好に全周に亘り当接させ得て、確実なシールを確保することが可能となる。
【００２２】
この場合において、ピストンに固定状態に設けた後端側の摺動ガイドを、弁座部材のピストンからの抜け防止の蓋となしておくことができる（請求項４）。
このようにしておけば、弁座部材を単に筒状をなすピストンに内嵌しただけであっても、或いは弁座部材の抜け防止のための別途の部材を設けなくても、摺動ガイドの蓋としての働きにより、弁座部材がピストンから抜けてしまうのを防止することが可能となる。
【００２３】
次に請求項５は、上記摺動ガイドの外面に、径方向外方に突出して軸方向に延びる突条を周方向に間隔を隔てて複数設けたもので、このようにしておけば、摺動ガイドの外面を全面に亘ってシリンダの内面に接触させた場合と比べて、シリンダの内面に対する摺動ガイドの摺動抵抗を効果的に小さくすることができ、シリンダの内面に対してピストンを円滑に相対移動させることができる。
【００２４】
尚このように突条において摺動ガイドをシリンダの内面に摺動させるようになした場合であっても、突条とシリンダの内面との間での水石けんによる潤滑作用によって、突条の外面が摩耗促進されてしまうといった問題は特に生じない。
【００２５】
本発明では、上記摺動ガイドの軸方向端の外周縁部の形状を断面円弧形状となしておくことができる（請求項６）。
このようにしておけば、シリンダの内面に対する摺動ガイドの摺動を円滑化することができる。
【図面の簡単な説明】
【００２６】
【図１】本発明の一実施形態の水石けん吐出器を手洗器に取り付けた状態で示した図である。
【図２】図１の水石けん吐出器の内部構造を示した断面図である。
【図３】図２の要部を拡大して示した図である。
【図４】図２の図３とは別の要部を拡大して示した図である。
【図５】同実施形態における一方の摺動ガイドを示した図である。
【図６】同実施形態における他方の摺動ガイドを示した図である。
【図７】同実施形態の作用説明図である。
【図８】本発明の背景説明のための説明図である。
【発明を実施するための形態】
【００２７】
次に本発明の実施形態を図面に基づいて詳しく説明する。
図１において、１０は後方の壁に取り付けられた手洗器で、鉢部１２と、その後側から立ち上るバックガード部１４とを一体に有している。
鉢部１２は底部に排水口を有し、そこに排水管１６が接続されている。
この手洗器１０には、バックガード部１４を縦の取付壁としてそこに手洗水栓１８の吐水部２０と、本実施形態の水石けん吐出器２２とが取り付けられている。
【００２８】
手洗水栓１８は自動水栓で、手洗器１０の下方に本体ボックス２４を、更にその下側に湯水の混合部３０を有している。
混合部３０は水，湯の供給管を兼ねた一対のクランク脚２６，２８を有しており、それらクランク脚２６，２８において後方の壁に固定されている。
【００２９】
また本体ボックス２４の内部には、吐水部２０への混合水の供給、遮断を行うための電磁弁と、その作動制御を行う制御基板とが収納されている。
この本体ボックス２４からは電源コード３２が延び出しており、その先端の差込プラグが電源コンセントに差込接続されている。
【００３０】
手洗器１０の下方にはまた、水石けんを内部に収容するタンク３４が配置されている。
このタンク３４は、後方の壁に取り付けられてそこに保持されている。
このタンク３４からは、タンク３４内の水石けんを吸い上げるチューブ３６が上向きに延び出している。チューブ３６の上端部は水石けん吐出器２２に接続されている。
このチューブ３６の内部の通路は、タンク３４の水石けんを後述の液室４０に供給する液供給通路３８（図２参照）を成している。
またタンク３４の前面側の上部には、前方斜め上向きをなす傾斜部３５が設けられており、そこに水石けんの補給口３７が同じく前方斜め上向きで設けられている。
尚３９は、この補給口３７を閉鎖するキャップである。
【００３１】
図２に、水石けん吐出器２２の内部構造が具体的に示してある。
図２に示しているようにこの実施形態の水石けん吐出器２２は、縦の取付壁としてのバックガード部１４に対し横向きをなす状態で設置されている。即ちこの実施形態の水石けん吐出器２２は横設置式のものである。
【００３２】
図において、４２は水石けん吐出器２２における金属製の本体ボデーで円筒状をなしている。
本体ボデー４２は、図中右端側に雄ねじ管４４を有しており、この雄ねじ管４４がバックガード部１４の取付穴４６を挿通してその裏側に突き出している。
【００３３】
そしてその裏側において、雄ねじ管４４の外周面の雄ねじ部に固定ナット４８がねじ込まれ、この固定ナット４８と本体ボデー４２のフランジ部５０とでバックガード部１４をシール部材５２，５４を介し挟み込む状態に、本体ボデー４２がバックガード部１４に固定されている。
【００３４】
図に示しているようにここでは本体ボデー４２がバックガード部１４に対し横向きをなす状態、即ちバックガード部１４から前方に突出する状態で取り付けられている。
この本体ボデー４２には、同じく円筒状をなす金属製のシリンダ５６が内嵌状態に組み付けられ、保持されている。
【００３５】
ここでシリンダ５６の外面と本体ボデー４２の内面との間はシール部材にて水密にシールされている。
このシリンダ５６の内側には、上記のタンク３４から液供給通路３８を通じて供給された水石けんを一時的に貯留する液室４０が形成されている。
【００３６】
シリンダ５６の後端部（図中右端部）には、弁ケース５８が組み付けられている。
弁ケース５８は前端部（図中左端部）外周面に雄ねじ部を有し、その雄ねじ部において、シリンダ５６の内面の雌ねじ部にねじ結合されている。
この弁ケース５８の後端部には細径の差込口６０が設けられており、そこに上記の可撓性のチューブ３６が差込接続されている。
【００３７】
弁ケース５８は全体として筒状をなしており、その中心部の内側空間が液室４０に水石けんを供給する液供給通路３８の一部をなしている。
弁ケース５８には、テーパ状の弁座面６２を有する弁座部６４が一体に構成されており、この弁座部６４とボール６６とによって、ボール弁から成る一方向性の第１逆止弁６８が構成されている。
この第１逆止弁６８は、タンク３４から上記の液室４０に向う水石けんの流れのみを許容し、逆方向の流れを阻止する。
【００３８】
弁ケース５８の図中左端の開口部には、図３に示しているようにばね受部材７０が組み付けられている。
このばね受部材７０は、円筒部７２と、その左端の円板状のばね受部７４とを有しており、その円筒部７２が弁ケース５８に内嵌する状態に弁ケース５８に挿入されている。
ばね受部７４は、径方向外方に張り出したフランジ部７６を有していて、このフランジ部７６が、シリンダ５６にねじ込まれた弁ケース５８の先端と、シリンダ５６に形成された段付部とで図中左右方向に挟持される状態に、弁ケース５８及びシリンダ５６に対し固定されている。
【００３９】
このばね受部材７０における円筒部７２の内側には、金属製のコイルスプリング７８が挿入されている。
コイルスプリング７８は、図中左端をばね受部７４に当接させ、また右端をボール押えを兼ねたスプリングガイド８０に当接させ、その付勢力をスプリングガイド８０を介してボール６６に対し、これを右方即ち閉弁方向に及ぼしている。
【００４０】
このスプリングガイド８０は、ボール６６を図中右方に押圧する押圧部８２と、軸状のガイド部８４とを有しており、そのガイド部８４をコイルスプリング７８内に挿入させている。
このガイド部８４は、コイルスプリング７８の形状を直線状に保持して、その曲り変形を防止する働きをなしている。
【００４１】
ばね受部材７０は、円板状をなすばね受部７４に、これを板厚方向に貫通する貫通孔８３を周方向に１２０°ごと隔たった３個所に有しており、これら貫通孔８３において水石けんを図中左方に通過可能となしている。
この貫通孔８３もまた、液供給通路３８の一部を成している。
【００４２】
尚、スプリングガイド８０における上記の押圧部８２は、周方向に複数の切欠部８５を有していて、全体として十字状をなしており、その切欠部８５において水石けんを図中左方に通過可能となしている。
【００４３】
上記本体ボデー４２の左端部の内周面には雌ねじ部が形成されており、そこに外周面に雄ねじ部を有する円筒状のねじ固定部材８６がねじ込まれている。そしてこのねじ固定部材８６によって、シリンダ５６が本体ボデー４２に固定されている。
【００４４】
詳しくは、シリンダ５６には径方向外方に環状に張り出したフランジ部８８が設けられており、ねじ固定部材８６のねじ込みによってシリンダ５６が、このフランジ部８８において本体ボデー４２の段付部９０に対しシール部材９２を介して押し付けられ、本体ボデー４２に対し軸方向に固定されている。
【００４５】
９４は、シリンダ５６の内面に図中左右方向即ち軸方向に移動可能に内嵌したピストンで、このピストン９４から液室４０とは反対方向にロッド部９６が延び出している。
そしてシリンダ５６の軸方向外側において、このロッド部９６の端部に押込操作部となるヘッド部９８が連結されている。
ここでピストン９４及びこれと一体をなすロッド部９６は金属製とされている。
【００４６】
ヘッド部９８は、ブロック状をなす金属製のコア部材１００と、有底円筒状をなす化粧カバー１０２と、化粧カバー１０２の内周側に介挿された円筒状のスリップリング１０４とを有している。
コア部材１００には、後述する液流出通路の一部をなす縦孔１０６が設けられている。
【００４７】
このコア部材１００には、細径の円筒状をなす吐出ノズル（吐出部）１０８が内部を縦孔１０６に連通させる状態で、且つその下部をヘッド部９８から下向きに突出させる状態で、化粧カバー１０２及びスリップリング１０４の貫通孔１１０を貫通してねじ結合されている。
このコア部材１００にはまた、縦孔１０６に連続して横向きをなす接続孔が設けられており、その接続孔の内周面の雌ねじ部に対して、ロッド部９６の端部の外周面の雄ねじ部がねじ結合されている。
このコア部材１００とシリンダ５６における上記のフランジ部８８との間には、金属製のコイルスプリング１１２が介挿されており、このコイルスプリング１１２によってヘッド部９８が図中左方、即ち前方への突出し方向に付勢されている。
【００４８】
上記ピストン９４及びロッド部９６は内部中空の円筒状に構成されており、液室４０の水石けんを吐出ノズル１０８へと流出させる液流出通路１１４が、その内側の内部空間を通って形成されている。
【００４９】
図４に、上記ピストン９４とその周辺部の構造が詳しく示してある。
図に示しているように、ピストン９４の外周面には一対のＵパッキン（シール部材）１１６が互いに向きを逆向きにして装着されており、これらＵパッキン１１６によって、ピストン９４の外面とシリンダ５６の内面とが水密にシールされている。
【００５０】
１１８は、テーパ状の弁座面１２０を有する金属製の円筒状の弁座部材であり、この弁座部材１１８は、ピストン９４の図中右端の開口からその内部に挿入されて、ピストン９４にＯリングから成るシール部材を介して水密に内嵌されている。
【００５１】
１２２は、この弁座部材１１８とともにボール弁から成る第２逆止弁１２４を構成するボールで、この第２逆止弁１２４は、弁座部材１１８の内部を通って形成された上記の液流出通路１１４を通じて液室４０から吐出ノズル１０８へと向う水石けんの流れを許容し、また逆方向の流れを阻止する一方向性の弁をなしている。
【００５２】
１２５は金属製のコイルスプリングで、その付勢力をスプリングガイド１２６を介しボール１２２に対してこれを弁座面１２０に当接させる向き、即ち閉弁方向に及ぼしている。
ここでスプリングガイド１２６は、上記のスプリングガイド８０と同様の構成のもので、ボール１２２を押圧する押圧部８２と軸状のガイド部８４とを有している。
そしてこのスプリングガイド１２６の押圧部８２に対して、スプリング１２４の図中右端が当接せしめられ、またその左端が上記ロッド部９６に形成された段付部１２７に当接せしめられている。
【００５３】
１２８はリング状をなすストッパ部材で、シリンダ５６の図中左端部にねじ結合され、固定されている。
ピストン９４及びこれと一体をなすロッド部９６は、ピストン９４の図中左端、即ちヘッド部９８側の前端がこのストッパ部材１２８に当接することで図中左方への移動量が規定される。
【００５４】
ピストン９４のヘッド部９８とは反対側の後端側（図中右端側）には樹脂製、ここではＰＯＭ（ポリアセタール）樹脂製の摺動ガイド１３０がピストン９４に対して固定状態に設けられている。
この摺動ガイド１３０は、シリンダ５６の内面に接してピストン９４の摺動ガイドをなす部材であって、全体として円筒状をなしている。
【００５５】
この摺動ガイド１３０は、ピストン９４の図中右端即ち後端の開口から内部に挿入されて、ピストン９４に対しＯリングから成るシール部材を介して水密に嵌合する挿入部１３２と、挿入部１３２よりも大径をなし、ピストン９４の軸方向外側に位置してシリンダ５６の内面に接触するガイド部１３４とを有している。
摺動ガイド１３０は、実質的にはこのガイド部１３４においてシリンダ５６の内面に接触し、ピストン９４の摺動ガイドをなす。
【００５６】
このガイド部１３４の外面には、図５に示しているように径方向外方に突出して軸方向に延びる突条１４０が、周方向に間隔を隔てて複数設けられている。ここでは突条１４０が６０°ごとに間隔を隔てて６個所に設けられている。
ここでガイド部１３４は突条１４０においてピストン９４よりも大径をなしており、それら突条１４０がピストン９４よりも径方向外方に突出せしめられている（図４の部分拡大図参照）。
【００５７】
一方挿入部１３２には、周方向複数個所に一方向性の係止爪１３６が設けられており、これら係止爪１３６が、ピストン９４の内面に形成された係止凹部１３８に弾性的に係入させられて、係止凹部１３８に対し図中右方向の一方向に係合せしめられており、それら係止爪１３６と係止凹部１３８との係合作用によって摺動ガイド１３０が、ピストン９４に対し抜け方向に固定されている。
【００５８】
この実施形態において、摺動ガイド１３０と上記の弁座部材１１８とは別体をなしていて、互いに軸方向に切り離されているため、ヘッド部９８の重みでピストン９４に傾きが生じたとき弁座部材１１８はピストン９４との平行を維持したままピストンとともに傾くことができる。
このため閉弁時において、ボール１２２が弁座部材１１８の弁座面１２０に対して片当り等を生じてシール不良を起してしてしまうといったことは生じない。
尚、摺動ガイド１３０における挿入部１３２の外面とピストン９４の内面との間、及び弁座部材１１８の外面とピストン９４の内面との間には、所定の隙間即ち嵌合クリアランスが設けられている。
【００５９】
ピストン９４にはまた、ヘッド部９８側の前端側においても摺動ガイド１３０と同じ樹脂製の摺動ガイド１４２が組み付けられている。
この前端側の摺動ガイド１４２は、図４及び図６に示すようにリング状をなしていて、ピストン９４の外面に形成された環状の嵌込溝１４４に嵌込状態に組み付けられている。
【００６０】
この摺動ガイド１４２は、後述の突条１４０（図６参照）においてピストン９４の外径よりも大径をなしていて、突条１４０がピストン９４よりも径方向外方に突出せしめられており、ピストン９４の移動時において摺動ガイド１４２は突条１４０をシリンダ５６の内面に接触させてピストン９４移動のガイド作用をなす。
尚このリング状をなす摺動ガイド１４２は、図６に示しているように周方向所定個所で分断されていて、その分断により弾性的に拡径可能とされている。
摺動ガイド１４２は、これを拡径させることによってピストン９４の嵌込溝１４４に嵌め込まれ装着される。
【００６１】
このリング状をなす摺動ガイド１４２の上記の突条１４０は、周方向に間隔を隔てて複数個所に、ここでは６０°ごとに６個所に設けられている。
摺動ガイド１４２は、実質的にはこの突条１４０をシリンダ５６の内面に接触させてピストン９４の移動ガイドをなす。
この点は摺動ガイド１３０においても同様である。
尚この摺動ガイド１４２及び上記の摺動ガイド１３０におけるガイド部１３４の、軸方向両端の外周縁部の形状は半径Ｒの断面円弧形状となしてある。ここでＲは０．２ｍｍ以上となしておくことが望ましい。
【００６２】
次に本実施形態の水石けん吐出器２２の作用を以下に説明する。
図７（Ａ）は、ヘッド部９８を押込操作する前の状態を表している。このとき液室４０には水石けんが一時的に貯留された状態にある。
この状態で図７（Ｂ）に示しているようにヘッド部９８を図中右向きに押込操作し、ピストン９４を液室４０に向けて図中右方に前進移動させると、液室４０に貯留されていた水石けんが、コイルスプリング１２５の付勢力に抗して第２逆止弁１２４を開弁させながら、液流出通路１１４を通じて吐出ノズル１０８へと流出し、更にそこから図中下向きに吐出される。
その状態でヘッド部９８に加えていた押込力を除くと、コイルスプリング１１２の付勢力でヘッド部９８が図中左方に突き出され、またこれとともにヘッド部９８に連結されたロッド部９６と一体のピストン９４が図中左方に後退移動せしめられる。
【００６３】
このとき液室４０内部に生ずる負圧によって、図７（Ｃ）に示しているように第１逆止弁６８をコイルスプリング７８の付勢力に抗して開弁させながら、タンク３４内の水石けんが液供給通路３８を通じて液室４０へと新たに供給される。
そしてピストン９４が図中左方の移動端まで移動したところで、コイルスプリング７８の付勢力によって第１逆止弁６８が閉弁せしめられる。
【００６４】
これらの動きの中でピストン９４がシリンダ５６内部を軸方向に移動する際、その移動ガイドが、前後一対の摺動ガイド１３０及び１４２にて行われる。シリンダ５６内面への接触及び摺動は、それら摺動ガイド１３０，１４２の部分のみで行われ、ピストン９４がヘッド部９８の重みによって傾くことがあっても、ピストン９４は実質的にシリンダ５６の内面とは非接触状態に保たれる。
【００６５】
尚この実施形態において、水石けん吐出器２２の内部のメンテナンスは次のようにして行うことができる。
先ず吐出ノズル１０８をヘッド部９８から外した上で、ヘッド部９８における化粧カバー１０２とスリップリング１０４とを取り外し、更にねじ固定部材８６を本体ホデー４２から外した上で、ヘッド部９８におけるコア部材１００，ロッド部９６及びこれと一体のピストン９４、更にその内部構造をなす第２逆止弁１２４，スプリングガイド１２６，コイルスプリング１２５，摺動ガイド１４２，１３０等を一体のユニットとして、本体ボデー４２から取り外すことで、内部のメンテナンス作業を行うことができる。
このようなメンテナンス作業に際して、その都度吐出ノズル１０８がヘッド部９８のコア部材１００に対して繰返し脱着されることから、強度の要求されるコア部材１００が金属ブロックにて構成されている。
【００６６】
以上のように本実施形態によれば、ピストン９４が傾いた状態でシリンダ５６内部を相対運動した場合であっても、シリンダ５６の内面がピストン９４による摺動によって傷付けられたり、削られたりするのを防止することができる。
これによりシリンダ５６の内面が損傷して、そのことが水石けんが吐出されなかったり、又は水石けんの漏れに繋がる問題を解消することができる。
【００６７】
またシリンダ５６の内面が削られて生じた金属粉が、ピストン９４とシリンダ５６の内面との間に噛み込んだり、或いはピストン９４とシリンダ５６内面との間を水密にシールするＵパッキン１１６を損傷したりする問題も併せて解決することができる。
更にピストン９４がシリンダ５６の内面に対して円滑に相対運動できるようになるため、操作性も良好となすことができる。
【００６８】
本実施形態では、ピストン９４に固定状態に設けた後端側の摺動ガイド１３０が、弁座部材１１８のピストン９４からの抜け防止の蓋となしてあることから、弁座部材１１８を単に筒状をなすピストン９４に内嵌しただけであっても、或いは弁座部材１１８の抜け防止のための別途の部材を設けなくても、摺動ガイド１３０の蓋としての働きにより、弁座部材１１８がピストン９４から抜けてしまうのを防止することができる。
【００６９】
またこの実施形態では、摺動ガイド１３０，１４２の外面に、径方向外方に突出して軸方向に延びる突条１４０を周方向に間隔を隔てて複数設けてこれらをシリンダ５６の内面に接触させるようになしているため、シリンダ５６の内面に対する摺動ガイド１３０の摺動抵抗を効果的に小さくすることができ、シリンダ５６の内面に対してピストン９４を円滑に相対移動させることができる。
【００７０】
尚このように突条１４０において摺動ガイド１３０をシリンダ５６の内面に摺動させるようになした場合であっても、突条１４０とシリンダ５６の内面との間での水石けんによる潤滑作用によって、突条１４０の外面が摩耗促進されてしまうといった問題は特に生じない。
【００７１】
以上本発明の実施形態を詳述したがこれはあくまで一例示である。
例えばピストン９４の後端側の上部及び前端側の下部においてのみ摺動ガイドがシリンダ５６の内面に接触するようにそれら摺動ガイドを構成しておくといったことも可能であるし、またピストン９４の後端側の摺動ガイドをリング状となして、これをピストン９４の外面に嵌着するようになすことも可能であるし、或いはシリンダ５６を金属以外の硬質材料で構成するといったことも可能であるなど、本発明はその趣旨を逸脱しない範囲において種々変更を加えた形態で構成可能である。
【符号の説明】
【００７２】
１４  バックガート部（取付壁）
２０  吐水部
２２  水石けん吐出器
３４  タンク
３８  液供給通路
４０  液室
５６  シリンダ
６２，１２０  弁座面
６４  弁座部
６６，１２２  ボール
６８  第１逆止弁
９４  ピストン
９６  ロッド部
９８  ヘッド部
１０８  吐出ノズル（吐出部）
１１４  液流出通路
１１８  弁座部材
１２４  第２逆止弁弁
１３０，１４２  摺動ガイド
１３４  ガイド部
１４０  突条
【図１】
0005595249.tif 000002
【図２】
0005595249.tif 000003
【図３】
0005595249.tif 000004
【図４】
0005595249.tif 000005
【図５】
0005595249.tif 000006
【図６】
0005595249.tif 000007
【図７】
0005595249.tif 000008
【図８】
0005595249.tif 000009